(57)【要約】  根の深さに適した水位となる最適量の水を貯留することができるハイドロカルチャー専用鉢を提供する。  底部１０１に水１６の給排可能な給排孔１０２を有する土壌植物育成用鉢を用い、その鉢本体１０の内周面に、オリズルラン１５の根の深さＴ１に適した水位１６１となる最適量の水１６が貯留されるように当該鉢本体１０の内部を上下に水密状に区画する区画壁１２を設ける。そして、鉢本体１０の内部にハイドロ培土１４を充填し、この鉢本体１０に植裁されるオリズルラン１５の根の深さＴ１に適した水位１６１が上限となるように最適量の水１６を当該鉢本体１０に貯留している。
2011118698.tif 000002
【特許請求の範囲】
【請求項１】
筒体状の鉢本体の内周面を上下に区画する区画壁を備え、前記区画壁は、前記鉢本体の内周面に対し上下方向に移動可能に設けられていることを特徴とするハイドロカルチャー専用鉢。
【請求項２】
筒体を内部に収容可能な筒体状の鉢本体と、この鉢本体の内周面を上下に区画する区画壁とを備え、前記区画壁は、前記鉢本体の内周面に対し上下方向に移動可能に設けられていることを特徴とするハイドロカルチャー専用鉢。
【請求項３】
前記区画壁は、伸縮性を有し、前記鉢本体の内周面に対し接地圧をかけて設けられている請求項１又は請求項２に記載のハイドロカルチャー専用鉢。
【請求項４】
前記鉢本体及び前記区画壁は、防水材によってコーティングされている請求項１〜請求項３のいずれか１つに記載のハイドロカルチャー専用鉢。
【請求項５】
前記鉢本体としては、土壌植物専用鉢が適用されている請求項１〜請求項４のいずれか１つに記載のハイドロカルチャー専用鉢。
【請求項６】
前記区画壁は、前記鉢本体から除去可能な材質によって形成され、その鉢本体から除去されてから当該鉢本体に再構築可能とされている請求項１〜請求項５のいずれか１つに記載のハイドロカルチャー専用鉢。
【発明の詳細な説明】
【技術分野】
【０００１】
本発明は、植物を培土と水とで育成する際に用いられるハイドロカルチャー専用鉢に関する。
【背景技術】
【０００２】
一般に、鉢の内部に土などの天然培土を充填し、この天然培土に植栽された観葉植物を室内に飾ったりすることで、美観に優れたインテリアとしての機能を持たせることが行われている。
しかし、天然培土を用いた観葉植物では、その天然培土に起因する臭いや虫が発生するため、室内に飾ること、とりわけキッチンや子供部屋に飾ることに抵抗があり、飲食店などにおいても衛生上の問題となる。【０００３】
そのため、近来より、天然培土に代えて人工培土を鉢の内部に充填し、この人工培土を充填した鉢の底部に貯留される水によって育成可能なハイドロカルチャー（水耕栽培のこと）で植物を植栽することで、美観に優れたインテリアとしての機能を有するのはもちろんのこと、臭いや虫が発生せずに衛生的に室内を飾ることができるようにしたものが知られている（例えば、特許文献１参照）。この場合、人工培土としては、粘土を高温で焼いて発泡させた無機質発泡体や、炭を多孔質セラミックにより覆った機能性複合体などからなる粒状物が用いられ、無機質発泡体はハイドロボール等の商品名で上市されている一方、機能性複合体はネオコール等の商品名で上市されている。また、ガラス製の中が透過している鉢で、根腐れ防止剤に使われるイオン交換石を植物性の染料で着色した硬質多孔性のカラーサンドなどを用いて、インテリア性に優れたカラーサンドのハイドロカルチャーなどが販売されている。そして、ハイドロカルチャーで植物を植栽するときは、植物の大きさに合った、底部に水の給排孔が設けられていない既存鉢が用いられている。
また、前記鉢の底部に貯留される水とは、植物が水を吸う事で約一週間〜二週間で完全に無くなる水の量のことで、それ以上の水量が貯留されていると、根腐れを招き、植物が育たない上、悪臭の発生や虫の発生の原因ともなる。
【先行技術文献】
【特許文献】
【０００４】
【特許文献１】特開平９−１６８３４１号公報
【発明の概要】
【発明が解決しようとする課題】
【０００５】
ところで、従来の天然培土による栽培は、培土に含まれた水分を植物の根が吸う事などで育つ為に、鉢底が深く植物の根と鉢底が掛け離れていても育成する。しかし、ハイドロカルチャーは鉢底に貯留された水を植物の根が吸う事などで、植物が育成する為、植物が水を吸う事で約一週間〜二週間で完全に無くなる水量を貯留されなければならない。例えば、高さ５０ｃｍの鉢に１０ｃｍの小さな苗の植物を植栽する場合、植物の根と水量がかけ離れているため、植物の根が水を吸うことが出来ず、鉢底が深い前記鉢で小さな植物を育成することができない。
さらに、従来の天然培土による栽培は、培土に含まれた水分を植物の根が吸う事などで育つ為に、大きさが違う植物でも１つの鉢で育成できる。しかし、ハイドロカルチャーは、植物が水を吸う事で約一週間〜二週間で完全に無くなる水量を貯留されなければならないため、前記鉢では、植物の大きさによって水の貯留位置が変わってしまい、１つの鉢で大きさが違う植物を育成することができない。
また、植栽する植物が同一品種及び同じ大きさであっても、生産の産地によっては、植物の根の大きさが違う場合もある。このため、植栽する鉢が同じ鉢であっても最適量の水の貯留位置でない場合もある。【０００６】
また、ハイドロカルチャー自体が国内において近年注目され始めた育成であるため、ハイドロカルチャーに利用できる鉢の種類が少ない上、非常に高価なものとなる。しかも、底部に水の給排孔が設けられていない既存の鉢（例えば陶磁器鉢、ガラス製の鉢など）では、鉢底の深さが決まっているため、植栽する植物の大きさに合った鉢を選ばなくてはならず、なかなか植物の大きさに合った鉢がない。また、すでに所有しているデザインなどが気に入っている鉢で、底部に水の給排孔が設けられていない鉢であっても、植物と合致しないことがある。更に、底部に水の給排孔が設けられている鉢では、当該鉢に水が潮流できないため、使用することができない。【０００７】
本発明はかかる点に鑑みてなされたものであり、その目的とするところは、鉢本体に植栽した植物が水を吸うことで約一週間〜二週間で完全に無くなる最適な水量を貯留することができるハイドロカルチャー専用鉢を提供することにある。
【課題を解決するための手段】
【０００８】
前記目的を達成するため、本発明が講じた解決手段は、ハイドロカルチャー専用鉢として、筒体状の鉢本体の内周面を上下に区画する区画壁を備え、前記区画壁は、前記鉢本体の内周面に対し上下方向に移動可能に設けられていることを特徴とする。【０００９】
この特定事項により、筒体状の鉢本体の内周面に対し接地圧をかけて底板として構築された区画壁が上下に移動するので、植樹する植物の大きさにあわせて区画壁を上下に移動させれば、植物を植樹し植物が水を吸うことで約一週間〜二週間で完全に無くなる最適の水量を貯留することが可能となる。たとえば、高さ５０センチのハイドロカルチャー専用鉢で高さ１０センチの苗を植樹する場合、鉢本体の内周面に対し接地圧をかけた状態で区画壁を上方向に移動させて、最適な水量を貯留させることが可能となる。さらに、一度植物を植樹した鉢に違う大きさの植物を植え替えるときは、植樹する植物の大きさにあわせて、鉢本体の内周面に対し接地圧をかけた状態で区画壁を上か下に移動させれば、植樹した植物に最適な水量を貯留することが可能となる。【００１０】
また、前記目的を達成するため、本発明が講じたその他の解決手段は、ハイドロカルチャー専用鉢として、筒体を内部に収容可能な筒体状の鉢本体と、この鉢本体の内周面を上下に区画する区画壁とを備え、前記区画壁は、前記鉢本体の内周面に対し上下方向に移動可能に設けられていることを特徴とする。【００１１】
この特定事項により、鉢本体の内部に収容される筒体に植樹された植物の大きさにあわせて区画壁を上下に移動させて設ければ、鉢本体の内部の最適な位置に筒体内の植物が収容され、筒体に植樹した植物の根の深さに適した水位となる最適量の水を鉢本体の内部に貯留することが可能となる。【００１２】
また、前記区画壁は、伸縮性を有し、前記鉢本体の内周面に対し接地圧をかけて設けられていることが好ましい。【００１３】
この場合には、鉢本体の内周面よりも少し大きめの区画壁を用意し、鉢本体の内周面に対し接地圧をかけた状態で区画壁を設ければ、鉢本体の内周面に対し接地圧をかけた状態で区画壁を上下に簡単に移動させることができ、鉢本体の内部に最適な水量を貯留することができる。【００１４】
また、前記鉢本体及び前記区画壁は、防水材によってコーティングされていることが好ましい。【００１５】
この場合には、ハイドロカルチャー専用鉢としての鉢本体に経時的な水の浸透によってエフロ（白華現象）やひび割れが生じたりすることが確実に防止できる。【００１６】
また、前記鉢本体として、土壌植物専用鉢が適用されていてもよい。【００１７】
この場合には、安価な土壌専用鉢をハイドロカルチャー専用鉢として利用でき、ハイドロカルチャーを広く普及させることができる。【００１８】
更に、前記区画壁は、前記鉢本体から除去可能な材質によって形成され、その鉢本体から除去されてから当該鉢本体に再構築可能とされていることが好ましい。【００１９】
この場合には、鉢本体に植裁されていた水耕植物に代えて新たな水耕植物を植裁したり、水耕植物の成長に伴って植え替えしたりする際に、鉢本体から区画壁を除去して新たな区画壁が再構築される。これにより、既存の鉢をハイドロカルチャー専用鉢として再利用することができる上、当該既存の鉢で使用していた培土も再利用することができる。
【発明の効果】
【００２０】
以上、要するに、筒体状の鉢本体の内周面に対し接地圧をかけた状態で区画壁を上下に移動させることで、植樹する植物の大きさにあわせて区画壁を上下に移動させ、植物を植樹し植物が水を吸うことで約一週間〜二週間で完全に無くなる最適の水量を貯留することができる。
【図面の簡単な説明】
【００２１】
【図１】本発明の第１の実施の形態に係るハイドロカルチャー専用鉢の縦断正面図である。
【図２】図１のハイドロカルチャー専用鉢を作成する手順を示す説明図であって、（ａ）は棒状物により作成された区画壁の斜視図、（ｂ）は内部に区画壁を取り付けた状態を示す鉢本体の斜視図、（ｃ）は防水材をコーティングした状態を示す鉢本体の斜視図である。
【図３】図１のハイドロカルチャー専用鉢の区画壁を除去する手順を示す説明図であって、（ａ）は区画壁に切り込みを入れた状態を示す鉢本体の斜視図、（ｂ）は区画壁を切除した状態を示す鉢本体の斜視図である。
【図４】本発明の第２の実施の形態に係るハイドロカルチャー専用鉢の縦断正面図である。
【図５】本発明の第３の実施の形態に係るハイドロカルチャー専用鉢の縦断正面図である。
【図６】本発明の第４の実施の形態に係るハイドロカルチャー専用鉢の縦断正面図である。
【図７】図６のハイドロカルチャー専用鉢の平面図である。
【図８】本発明の第５の実施の形態に係るハイドロカルチャー専用鉢であって、（ａ）は内部に区画壁を取り付けた状態でのストレート形状の鉢本体の縦断正面図であり、（ｂ）は上方から見た平面図である。
【図９】図８の区画壁を根の成長に合わせて下方に位置変更した状態での鉢本体の縦断正面図であり、（ｂ）は上方から見た平面図である。
【図１０】第４の実施の形態の変形例に係るハイドロカルチャー専用鉢であって、（ａ）は鉢本体内部に底板または仕切として縦に区画壁を取り付けた状態での縦断正面図であり、（ｂ）は上方から見た平面図である。
【発明を実施するための形態】
【００２２】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の実施の形態に係るハイドロカルチャー専用鉢の概略構成について説明する。
【００２３】
図１に示すように、１はハイドロカルチャー専用鉢であって、このハイドロカルチャー専用鉢１としては、既存の鉢つまり底部１０１に水の給排可能な給排孔１０２を有する土壌植物育成用鉢が適用されている。そして、前記ハイドロカルチャー専用鉢１の鉢本体１０の内周面には、当該鉢本体１０の内部を上下に水密状に区画する区画壁１２が設けられている。
【００２４】
前記区画壁１２は、図２の（ａ）に示すように、化学架橋剤で架橋した独立気泡ポリエチレンフォームよりなる断面矩形状の棒状物１２１を前記鉢本体１０の内周面に沿うように同心円上に巻いて円盤状に作成したり、化学架橋剤で架橋した独立気泡ポリエチレンフォームよりなるシート状物（図示せず）を円盤状に切削して作成される。このように円盤状に作成された区画壁１２は、多少の伸縮性を有しているため、鉢本体１０の区画部位での内径よりも若干大きめに作成し、図２の（ｂ）に示すように、鉢本体１０の内周面に対し接地圧をかけた状態で摩擦力により圧接される。この区画壁１２を作成する棒状物１２１又はシート状物は、緩衡用バックアップ材として使用されるものであり、例えば、三和化工製の三和サンペルカや、積水化学工業製のソフトロンボードの他、シート状物に限定すれば、積水化成品工業製の発泡ポリスチレンボード等が用いられる。この場合、棒状物１２１又はシート状物は、鉢本体１０に植裁される水耕植物の重さ、ハイドロ培土１４（後述する）の重さ及び貯留される水１６（後述する）の量などを考慮して厚みが設定され、通常２０ｍｍ〜４０ｍｍ程度の厚さのものが用いられる。
【００２５】
また、図２の（ｃ）に示すように、前記区画壁１２の上面及び当該区画壁１２よりも上側に位置する前記鉢本体１０の内周面は、防水材としてのコーキング材１３や塗膜防水材によって略均一にコーティングされている。このコーキング材１３としては、シリコン系のものが適用され、塗りむらがないようにヘラなどを用いてコーティングされるようにしている。また、塗膜防水材としては、水性のものが適用され、塗りむらがないように刷毛などを用いてコーティングされるようにしている。この場合、コーキング材１３としては、例えば、信越化学工業製のシーラント等が用いられる一方、塗膜防水材としては、大関化学工業製の水性パラテックス等が用いられる。
【００２６】
そして、前記区画壁１２により区画されて底部１０１より底上げされたハイドロカルチャー専用鉢１の内部には、粘土を高温で焼いて発泡させた無機質発泡体、又は炭を多孔質セラミックにより覆った機能性複合体などからなる粒状のハイドロ培土１４（人工培土）が、充填されている。このハイドロ培土１４には、水耕植物としてのオリズルラン１５が植裁されている。このオリズルラン１５は、天然培土に植裁されていたものを根から天然培土を水で落として水耕植物としてハイドロ培土１４に植裁し直すために供される。また、前記ハイドロカルチャー専用鉢１の内部には、オリズルラン１５の根の深さに適した水位となる最適量の水１６が貯留されている。このオリズルラン１５は、鉢本体１０に植裁された際の根の深さが最適量の水１６の水位１６１よりも３０〜６０ｍｍ程度上に位置することを好む品種である。
【００２７】
このとき、鉢本体１０の内部に貯留される最適量の水１６とは、ハイドロカルチャー専用鉢１に植裁されるオリズルラン１５が一週間〜二週間程度の育成に必要とされる量（要求量）のことであり、それ以上の水が貯留されていると、水の腐敗や根腐れを招いてしまう。かかる点から、オリズルラン１５の根の要求を満たす上でその根の深さよりも３０〜６０ｍｍ程度下に最適量の水１６を貯留する必要がある。このとき、最適量の水１６は、区画壁１２により区画されたハイドロカルチャー専用鉢１の内部での高さの三分の一から五分の一程度の水位１６１となる。
【００２８】
具体的には、図１に示すように、鉢本体１０の内部での高さＴが２５０ｍｍのハイドロカルチャー専用鉢１のハイドロ培土１４に植裁したオリズルラン１５の根の深さＴ１が７０ｍｍであれば、ハイドロカルチャー専用鉢１の内部での高さの三分の一から五分の一程度の水位１６１となる最適量の水１６を高さＴ３（例えば５０ｍｍ）となるように貯留する上で、根の深さＴ１が最適量の水１６の水位１６１よりも３０〜６０ｍｍ程度上に位置することを好むオリズルラン１５において根の深さＴ１と最適量の水１６の水位１６１との間に間隔Ｔ２（例えば５０ｍｍ）を設定する場合には、オリズルラン１５の重さ、ハイドロ培土１４の重さ及び貯留される最適量の水１６の重さ等を考慮して選定された厚さＴ０（２０ｍｍ）の区画壁１２を構築するに当たり、その下面を鉢本体１０の底部１０１からＴ４（６０ｍｍ）だけ上方に位置させるように区画壁１２を構築すればよい。
【００２９】
更に、ハイドロカルチャー専用鉢１の内部には、水位計１７が設けられている。この水位計１７は、区画壁１２の直上方から鉢本体１０の上縁まで略鉛直方向に延びる筒状体１７１と、この筒状体１７１の内部に進退自在に挿通され、水１６の水位１６１に応じて筒状体１７１の上端からの進退量が変化するフロート１７２とを備えている。この場合、鉢本体１０の内部への水１６の補給は、水耕植物の品種又は大きさによっても異なるが、フロート１７２が筒状体１７１に対し後退し終えた後に五日〜十日程度経過してから行う。
【００３０】
また、図３に示すように、区画壁１２を形成する独立気泡ポリエチレンフォーム（棒状物１２１）は、カッターナイフ１１などで切除可能な材質であり、鉢本体１０から除去可能である。そして、区画壁１２を除去した鉢本体１０の内部には、次に植裁される水耕植物の根の深さに適した水位となる最適量の水が貯留されるように新たな区画壁が再構築可能とされている。
【００３１】
したがって、本実施の形態では、底部１０１に水の給排可能な給排孔１０２を有する土壌植物育成用鉢などの既存の鉢を用い、その鉢本体１０の内周面に設けた区画壁１２によって当該鉢本体１０の内部を上下に水密状に区画している。このため、既存の鉢であっても、水耕植物としてのオリズルラン１５の根の深さに適した水位１６１となる最適量の水１６が貯留され、ハイドロカルチャー専用鉢１として使用できる。これにより、オリズルラン１５とハイドロカルチャー専用鉢１（既存の鉢）とが互いに合致し、区画壁１２により区画されたハイドロカルチャー専用鉢１の内部での高さ（鉢本体１０の上縁から区画壁１２までの高さ）の三分の一から五分の一程度の水位１６１となるように最適量の水１６を貯留すれば、オリズルラン１５の根の深さＴ１に適した水位１６１、つまり鉢本体１０に植裁された際の根の深さＴ１が最適量の水１６の水位１６１よりも５０ｍｍ程度上に位置してオリズルラン１５の品種の要求を満たすことになり、オリズルラン１５を円滑に育成することができる。
しかも、既存の鉢をハイドロカルチャー専用鉢１として使用できることから、ハイドロカルチャー専用鉢１の種類を簡単に増大させることができる上、非常に安価にハイドロカルチャー専用鉢１を提供することができる。
【００３２】
また、前記区画壁１２の上面及び当該区画壁１２よりも上側に位置する鉢本体１０の内周面がコーキング材１３によって略均一にコーティングされているので、ハイドロカルチャー専用鉢１として利用した既存の鉢に経時的な水の浸透によってエフロ（白華現象）やひび割れが生じたりすることが確実に防止できる。
【００３３】
更に、前記区画壁１２は、鉢本体１０から除去可能な独立気泡ポリエチレンフォーム等の材質によって形成され、その鉢本体１０からカッターナイフ１１で切除して除去した後に当該鉢本体１０に次に植裁される新たな水耕植物の根の深さに適した水位１６１となる最適量の水１６が貯留されるように再構築可能とされているので、鉢本体１０に植裁されていたオリズルラン１５に代えて新たな水耕植物を植裁したり、オリズルラン１５の成長に伴って植え替えしたりする際に、鉢本体１０から区画壁１２を除去して新たな区画壁１２が再構築される。これにより、既存の鉢をハイドロカルチャー専用鉢１として再利用することができる上、当該既存の鉢で使用していたハイドロ培土１４も再利用することができる。
【００３４】
次に、本発明の第２の実施の形態を図４に基づいて説明する。
この実施の形態では、水耕植物としてのパキラを植裁する場合に用いられるハイドロカルチャー専用鉢について説明する。なお、パキラ及び水耕専用鉢を除くその他の構成は、前記第１の実施の形態と同じであり、同一部分については同じ符号を付してその詳細な説明は省略する。
【００３５】
すなわち、本実施の形態では、図４に示すように、２はハイドロカルチャー専用鉢であって、このハイドロカルチャー専用鉢２としては、既存の鉢つまり底部２０１に水の給排可能な給排孔２０２を有する土壌植物育成用鉢が適用されている。そして、前記ハイドロカルチャー専用鉢２の鉢本体２０の内周面には、当該鉢本体２０の内部を上下に水密状に区画する区画壁１２が設けられている。
【００３６】
そして、前記区画壁１２により区画されたハイドロカルチャー専用鉢２の内部にはハイドロ培土１４が充填され、このハイドロ培土１４には、水耕植物としてのパキラ２５が植裁されている。このパキラ２５は、天然培土に植裁されていたものを根から天然培土を水で落として水耕植物としてハイドロ培土１４に植裁し直すために供される。また、前記ハイドロカルチャー専用鉢２の内部には、パキラ２５の根の深さに適した水位２６１となる最適量の水２６が貯留されている。このパキラ２５は、鉢本体２０に植裁された際の根の深さが最適量の水２６の水位２６１よりも１０〜３０ｍｍ程度上に位置することを好む品種である。
【００３７】
このとき、鉢本体２０の内部に貯留される最適量の水２６とは、ハイドロカルチャー専用鉢２に植裁されるパキラ２５が一週間〜二週間程度の育成に必要とされる量（要求量）のことであり、それ以上の水が貯留されていると、水の腐敗や根腐れを招いてしまう。かかる点から、パキラ２５の根の要求を満たす上でその根の深さよりも１０〜３０ｍｍ程度下に最適量の水２６を貯留する必要がある。このとき、最適量の水２６は、区画壁１２により区画されたハイドロカルチャー専用鉢２の内部での高さの三分の一から五分の一程度の水位２６１となる。
【００３８】
具体的には、鉢本体２０の内部での高さＵが３６０ｍｍのハイドロカルチャー専用鉢２のハイドロ培土１４に植裁したパキラ２５の根の深さＵ１が１９０ｍｍであれば、ハイドロカルチャー専用鉢２の内部での高さの三分の一から五分の一程度の水位２６１となる最適量の水２６を高さＵ３（例えば７０ｍｍ）となるように貯留する上で、根の深さＵ１が最適量の水２６の水位２６１よりも１０〜３０ｍｍ程度上に位置することを好むパキラ２５において根の深さＵ１と最適量の水２６の水位２６１との間に間隔Ｕ２（例えば１０ｍｍ）を設定する場合には、パキラ２５の重さ、ハイドロ培土１４の重さ及び貯留される最適量の水２６の重さ等を考慮して選定された厚さＵ０（３０ｍｍ）の区画壁１２を構築するに当たり、その下面を鉢本体２０の底部２０１からＵ４（６０ｍｍ）だけ上方に位置させるように区画壁１２を構築すればよい。
【００３９】
また、ハイドロカルチャー専用鉢２の内部にも、水位計１７が設けられている。この水位計１７のフロート１７２は、区画壁１２の直上方から鉢本体２０の上縁まで略鉛直方向に延びる筒状体１７１の内部に進退自在に挿通され、水２６の水位２６１に応じて筒状体１７１の上端からの進退量を変化させるものである。
【００４０】
したがって、本実施の形態では、底部２０１に水の給排可能な給排孔２０２を有する土壌植物育成用鉢などの既存の鉢を用い、その鉢本体２０の内周面に設けた区画壁１２によって当該鉢本体２０の内部を上下に水密状に区画している。このため、既存の鉢であっても、水耕植物としてのパキラ２５の根の深さＵ１に適した水位２６１となる最適量の水２６が貯留され、ハイドロカルチャー専用鉢２として使用できる。これにより、パキラ２５とハイドロカルチャー専用鉢２（既存の鉢）とが互いに合致し、ハイドロカルチャー専用鉢２の内部での高さ（鉢本体２０の上縁から区画壁１２までの高さ）の三分の一から五分の一程度の水位２６１となるように最適量の水２６を貯留すれば、パキラ２５の根の深さＵ１に適した水位２６１、つまり鉢本体２０に植裁された際の根の深さＵ１が最適量の水２６の水位２６１よりも１０ｍｍ程度上に位置してパキラ２５の品種の要求を満たすことになり、パキラ２５を円滑に育成することができる。
【００４１】
次に、本発明の第３の実施の形態を図５に基づいて説明する。
この実施の形態では、水耕植物としてのアレカヤシを植裁する場合に用いられるハイドロカルチャー専用鉢について説明する。なお、アレカヤシ及び水耕専用鉢を除くその他の構成は、前記第１の実施の形態と同じであり、同一部分については同じ符号を付してその詳細な説明は省略する。
【００４２】
すなわち、本実施の形態では、図５に示すように、３はハイドロカルチャー専用鉢であって、このハイドロカルチャー専用鉢３としては、既存の鉢つまり底部３０１に水の給排可能な給排孔３０２を有する土壌植物育成用鉢が適用されている。そして、前記ハイドロカルチャー専用鉢３の鉢本体３０の内周面には、当該鉢本体３０の内部を上下に水密状に区画する区画壁１２が設けられている。
【００４３】
そして、前記区画壁１２により区画されたハイドロカルチャー専用鉢３の内部にはハイドロ培土１４が充填され、このハイドロ培土１４には、水耕植物としてのアレカヤシ３５が植裁されている。このアレカヤシ３５は、天然培土に植裁されていたものを根から天然培土を水で落として水耕植物としてハイドロ培土１４に植裁し直すために供される。また、前記ハイドロカルチャー専用鉢３の内部には、アレカヤシ３５の根の深さに適した水位３６１となる最適量の水３６が貯留されている。このアレカヤシ３５は、鉢本体３０に植裁された際の根の深さが最適量の水３６の水位３６１よりも１０〜３０ｍｍ程度下に位置することを好む品種である。
【００４４】
このとき、鉢本体３０の内部に貯留される最適量の水３６とは、ハイドロカルチャー専用鉢３に植裁されるアレカヤシ３５が一週間〜二週間程度の育成に必要とされる量（要求量）のことであり、それ以上の水が貯留されていると、水の腐敗や根腐れを招いてしまう。かかる点から、アレカヤシ３５の根の要求を満たす上でその根の深さよりも１０〜３０ｍｍ程度上に最適量の水３６を貯留する必要がある。このとき、最適量の水３６は、区画壁１２により区画されたハイドロカルチャー専用鉢３の内部での高さの三分の一から五分の一程度の水位３６１となる。
【００４５】
具体的には、鉢本体３０の内部での高さＲが４７０ｍｍのハイドロカルチャー専用鉢３のハイドロ培土１４に植裁したアレカヤシ３５の根の深さＲ１が２９０ｍｍであれば、ハイドロカルチャー専用鉢３の内部での高さの三分の一から五分の一程度の水位３６１となる最適量の水３６を高さＲ３（例えば１３０ｍｍ）となるように貯留する上で、根の深さＲ１が最適量の水３６の水位３６１よりも１０〜３０ｍｍ程度下に位置することを好むアレカヤシ３５において根の深さＲ１と最適量の水３６の水位３６１との間に間隔Ｒ２（例えば３０ｍｍ）の重なり代（オーバーラップ量）を設定する場合には、アレカヤシ３５の重さ、ハイドロ培土１４の重さ及び貯留される最適量の水３６の重さ等を考慮して選定された厚さＲ０（４０ｍｍ）の区画壁１２を構築するに当たり、その下面を鉢本体３０の底部３０１からＲ４（４０ｍｍ）だけ上方に位置させるように区画壁１２を構築すればよい。
【００４６】
また、ハイドロカルチャー専用鉢３の内部にも、水位計１７が設けられている。この水位計１７のフロート１７２は、区画壁１２の直上方から鉢本体３０の上縁まで略鉛直方向に延びる筒状体１７１の内部に進退自在に挿通され、水３６の水位３６１に応じて筒状体１７１の上端からの進退量を変化させるものである。
【００４７】
したがって、本実施の形態では、底部３０１に水の給排可能な給排孔３０２を有する土壌植物育成用鉢などの既存の鉢を用い、その鉢本体３０の内周面に設けた区画壁１２によって当該鉢本体３０の内部を上下に水密状に区画している。このため、既存の鉢であっても、水耕植物としてのアレカヤシ３５の根の深さＲ１に適した水位３６１となる最適量の水３６が貯留され、ハイドロカルチャー専用鉢３として使用できる。これにより、アレカヤシ３５とハイドロカルチャー専用鉢３（既存の鉢）とが互いに合致し、ハイドロカルチャー専用鉢３の内部での高さ（鉢本体３０の上縁から区画壁１２までの高さ）の三分の一から五分の一程度の水位３６１となるように最適量の水３６を貯留すれば、アレカヤシ３５の根の深さＲ１に適した水位３６１、つまり鉢本体３０に植裁された際の根の深さＲ１が最適量の水３６の水位３６１よりも３０ｍｍ程度下に位置してアレカヤシ３５の品種の要求を満たすことになり、アレカヤシ３５を円滑に育成することができる。
【００４８】
次に、本発明の第４の実施の形態を図６及び図７に基づいて説明する。
この実施の形態では、水耕植物としてのオリズルランとパキラとを寄せ植えする場合に用いられるハイドロカルチャー専用鉢について説明する。なお、水耕専用鉢を除くその他の構成は、前記第１及び第２の実施の形態と同じであり、同一部分については同じ符号を付してその詳細な説明は省略する。
【００４９】
すなわち、本実施の形態では、図６に示すように、４はハイドロカルチャー専用鉢であって、このハイドロカルチャー専用鉢４としては、既存の鉢つまり底部４０１に水の給排可能な給排孔４０２を有する土壌植物育成用鉢が適用されている。そして、前記ハイドロカルチャー専用鉢４の鉢本体４０の内周面には、当該鉢本体４０の内部を縦方向で左右に水密状に区画する第１区画壁４１と、この第１区画壁４１により左右に区画された２つの内部空間４０３，４０４をそれぞれ個々に上下に水密状に区画する第２区画壁４２，４３とが設けられている。
【００５０】
前記第１及び第２区画壁４１〜４３は、化学架橋剤で架橋した独立気泡ポリエチレンフォームよりなるシート状物を所望する形状に切削して作成、つまり第１区画壁４１は鉢本体４０の内部を左右の区画部位で区画するように略矩形状に作成される一方、第２区画壁４２，４３はそれぞれ第１区画壁４１により区画された左右の内部空間４０３，４０４の区画部位での形状に則した略円弧状に作成される。このように略矩形状に作成された第１区画壁４１及び第２区画壁４２，４３は、多少の伸縮性を有しているため、鉢本体４０の区画部位での内径よりも若干大きめに作成し、鉢本体４０の内周面に対し接地圧をかけた状態で摩擦力により圧接される。この第１及び第２区画壁４１〜４３を作成するシート状物は、高層ビル窓枠の緩衡用バックアップ材として使用されるものであり、例えば、三和化工製の三和サンペルカや、積水化学工業製のソフトロンボード又は発泡ポリスチレンボード等が用いられる。この場合、シート状物は、鉢本体４０に植裁される水耕植物の重さ、ハイドロ培土１４の重さ及び貯留される水４６（後述する）の量などを考慮して厚みが設定され、通常２０ｍｍ〜４０ｍｍ程度の厚さのものが用いられる。
【００５１】
また、前記第１区画壁４１の表裏面及び各第２区画壁４２，４３の上面並びに各第２区画壁４２，４３よりも上側に位置する前記鉢本体４０の内周面は、防水材としてのコーキング材１３や塗膜防水材によって略均一にコーティングされている。
【００５２】
そして、前記各区画壁４１〜４３により区画されたハイドロカルチャー専用鉢４の内部空間４０３，４０４にはハイドロ培土１４が充填されている。この内部空間のうちの一方の内部空間４０３（図６では左側の内部空間）のハイドロ培土１４には、パキラ２５が植裁されている一方、他方の内部空間４０４（図６では右側の内部空間）のハイドロ培土１４には、パキラ２５が植裁されている。また、前記ハイドロカルチャー専用鉢４の一方の内部空間４０３には、パキラ２５の根の深さに適した水位２６１となる最適量の水２６が貯留されている。このパキラ２５は、一方の内部空間４０３に植裁された際の根の深さが最適量の水２６の水位２６１よりも１０〜３０ｍｍ程度下に位置することを好む品種である。また、前記ハイドロカルチャー専用鉢４の他方の内部空間４０４には、オリズルラン１５の根の深さに適した水位１６１となる最適量の水１６が貯留されている。このオリズルラン１５は、他方の内部空間４０４に植裁された際の根の深さが最適量の水１６の水位１６１よりも３０〜６０ｍｍ程度下に位置することを好む品種である。
【００５３】
かかる点から、第２区画壁４２により区画されたハイドロカルチャー専用鉢４の一方の内部空間４０３においてパキラ２５の根の要求を満たす上でその根の深さよりも１０〜３０ｍｍ程度下に最適量の水２６を貯留する必要があり、この最適量の水は、鉢本体４０の上縁から第２区画壁４２までの間での高さの三分の一から五分の一程度の水位２６１となる。また、第２区画壁４３により区画されたハイドロカルチャー専用鉢４の他方の内部空間４０４においてオリズルラン１５の根の要求を満たす上でその根の深さよりも３０〜６０ｍｍ程度下に最適量の水１６を貯留する必要があり、この最適量の水１６は、鉢本体４０の上縁から第２区画壁４３までの間での高さの三分の一から五分の一程度の水位１６１となる。
【００５４】
具体的には、鉢本体４０の内部での高さＳが４５０ｍｍのハイドロカルチャー専用鉢４の一方の内部空間４０３に植裁したパキラ２５の根の深さＳＵ１が１９０ｍｍであれば、その一方の内部空間４０３での高さの三分の一から五分の一程度の水位２６１となる最適量の水２６を高さＳＵ３（例えば６０ｍｍ）となるように貯留する上で、根の深さＳＵ１が最適量の水２６の水位２６１よりも１０〜３０ｍｍ程度上に位置することを好むパキラ２５において根の深さＳＵ１と最適量の水２６の水位２６１との間に間隔ＳＵ２（例えば１０ｍｍ）を設定する場合には、パキラ２５の重さ、ハイドロ培土１４の重さ及び貯留される最適量の水２６の重さ等を考慮して選定された厚さＳＵ０（３０ｍｍ）の第２区画壁４２を構築するに当たり、その下面を鉢本体４０の底部４０１からＳＵ４（１６０ｍｍ）だけ上方に位置させるように第２区画壁４２を構築すればよい。
【００５５】
一方、前記ハイドロカルチャー専用鉢４の他方の内部空間４０４に植裁したオリズルラン１５の根の深さＳＴ１が７０ｍｍであれば、その他方の内部空間４０４での高さの三分の一から五分の一程度の水位１６１となる最適量の水１６を高さＳＴ３（例えば５０ｍｍ）となるように貯留する上で、根の深さＳＴ１が最適量の水１６の水位１６１よりも３０〜６０ｍｍ程度上に位置することを好むオリズルラン１５において根の深さＳＴ１と最適量の水１６の水位１６１との間に間隔ＳＴ２（例えば５０ｍｍ）を設定する場合には、オリズルラン１５の重さ、ハイドロ培土１４の重さ及び貯留される最適量の水１６の重さ等を考慮して選定された厚さＳＴ０（２０ｍｍ）の第２区画壁４３を構築するに当たり、その下面を鉢本体４０の底部４０１からＳＴ４（２６０ｍｍ）だけ上方に位置させるように第２区画壁４３を構築すればよい。
【００５６】
また、ハイドロカルチャー専用鉢４の２つの内部空間４０３，４０４にも、それぞれ水位計１７，１７が設けられている。この各水位計１７のフロート１７２は、第２区画壁４２，４３の直上方から鉢本体４０の上縁まで略鉛直方向に延びる筒状体１７１の内部に進退自在に挿通され、水１６，２６の水位１６１，２６１に応じて筒状体１７１の上端からの進退量を変化させるものである。
【００５７】
したがって、本実施の形態では、底部４０１に水の給排可能な給排孔４０２を有する土壌植物育成用鉢などの既存の鉢を用い、その鉢本体４０の内周面に設けた第１区画壁４１によって当該鉢本体４０の内部を縦方向で左右の２つの内部空間４０３，４０４に水密状に区画し、その２つの内部空間４０３，４０４を第２区画壁４２，４３によってそれぞれ個々に上下に水密状に区画している。このため、既存の鉢であっても、水耕植物としてのパキラ２５の根の深さＳＵ１に適した水位２６１となる最適量の水２６が一方の内部空間４０３に貯留される一方、水耕植物としてのオリズルラン１５の根の深さＳＴ１に適した水位１６１となる最適量の水１６が他方の内部空間４０４に貯留され、ハイドロカルチャー専用鉢４として使用できる。これにより、最適量の水１６，２６の水位１６１，２６１に対する根の深さの好みが互いに異なるオリズルラン１５及びパキラ２５と、ハイドロカルチャー専用鉢４（既存の鉢）の２つの内部空間４０３，４０４とが互いに合致し、それぞれの内部空間４０３，４０４での高さの三分の一から五分の一程度の水位１６１，２６１となるように最適量の水１６，２６を貯留すれば、パキラ２５及びオリズルラン１５の根の深さＳＵ１，ＳＴ１に適した水位２６１，１６１となる。つまり、一方の内部空間４０３に植裁された際の根の深さＳＵ１が最適量の水２６の水位２６１よりも１０ｍｍ程度上に位置してパキラ２５の品種の要求を満たすことになる一方、他方の内部空間４０４に植裁された際の根の深さＳＴ１が最適量の水１６の水位１６１よりも４０ｍｍ程度上に位置してオリズルラン１５の品種の要求を満たすことになり、パキラ２５及びオリズルラン１５を円滑に育成することができる。
【００５８】
しかも、既存の鉢をハイドロカルチャー専用鉢４として使用できることから、ハイドロカルチャー専用鉢４の種類を簡単に増大させて背丈のあるパキラ２５と背丈の低いオリズルラン１５との寄せ植えなどのニーズにも応えることができる上、非常に安価にハイドロカルチャー専用鉢４を提供することができる。
【００５９】
次に、本発明の第５の実施の形態を図８及び図９に基づいて説明する。
この実施の形態では、高さ５０ｃｍほどのストレート形状のハイドロカルチャー専用鉢に水耕植物としての小さい植物５３を植栽する場合について説明する。なお、同一部分については同じ符号を付してその詳細な説明は省略する。
【００６０】
すなわち、本実施の形態では、図８の（ａ）及び（ｂ）に示すように、５はストレート形状のハイドロカルチャー専用鉢であって、このストレート形状のハイドロカルチャー専用鉢５としては、鉢最下部には、底が無い製作鉢が適用されている。そして、前記ハイドロカルチャー専用鉢５の鉢本体５０の内周面には、小さい植物５３の大きさに合し、当該鉢本体５０の内部を上下に水密状に区画する区画壁５１が、鉢本体５０の内周面に対し接地圧をかけた状態で摩擦力により固定されている。
【００６１】
そして、前記区画壁５１により区画された前記ハイドロカルチャー専用鉢５の内部にはハイドロ培土１４が充填され、このハイドロ培土１４には、水耕植物としての小さい植物５３が植栽されている。また、前記ハイドロカルチャー専用鉢５の内部には、小さい植物５３の大きさに合して設けられた前記区画壁５１上に水１６が貯留されている。このとき、鉢本体５０の内部に貯留される水１６とは、ハイドロカルチャー専用鉢５に植栽される小さい植物５３が一週間〜二週間程度の育成に必要とされる水量のことであり、それ以上の水が貯留されていると、水の腐敗や根腐れを招いてしまう。
【００６２】
そして、図９の（ａ）及び（ｂ）で示すように、小さい植物５３が成長した植物５３１を、前記ハイドロカルチャー専用鉢５に植え直す場合、前記区画壁５１を下方へ位置変更することで、水量の貯留位置を変えられ、成長による根詰まりも防ぐことができ、さらに、植栽していた鉢を買い替えることなく再利用できる。この場合、ＳＷ０は、植物５３，５３１の重さ、ハイドロ培土１４の重さ及び貯留される最適量の水１６の重さ等を考慮して選定された区画壁５１の厚さである。
【００６３】
なお、本発明は、前記各実施の形態に限定されるものではなく、その他種々の変形例を包含している。例えば、前記各実施の形態では、鉢本体１０〜５０の区画部位において区画壁１２，５１又は第２区画壁４２，４３を鉢本体１０〜５０の内周面に対し接地圧をかけた状態で接着したが、鉢本体の底部より区画壁を層状に積み上げた最上層の区画壁を区画部位に位置付けるようにして鉢本体の内部を区画してもよい。この場合には、区画壁に作用する水耕植物の重さ、ハイドロ培土の重さ及び貯留される最適量の水の重さ等を層状の区画壁によって円滑に受け止めることが可能となる。
【００６４】
また、前記各実施の形態では、天然培土に植裁されていたオリズルラン１５、パキラ２５又はアレカヤシ３５を根から天然培土を水で落として水耕植物としてハイドロ培土１４に植裁し直す場合に用いられるハイドロカルチャー専用鉢１〜５について述べたが、人工培土を充填した鉢に植裁されたハイドロカルチャー植物などの水耕植物を新たに植裁し直す場合に用いられるハイドロカルチャー専用鉢にも適用できるのはいうまでもない。
【００６５】
また、前記各実施の形態では、根の深さが７０〜２９０ｍｍといった比較的長い水耕植物を植裁するハイドロカルチャー専用鉢１〜５について述べたが、根の深さが数十ｍｍ程度の水耕植物を植裁する小振りなハイドロカルチャー専用鉢にも適用できるのはいうまでもない。
【００６６】
また、前記各実施の形態では、オリズルラン１５、パキラ２５、アレカヤシ３５、又は、小さい植物５３及びこの植物５３が成長した植物５３１を植裁した場合について述べたが、水耕植物は、これらに限るものではない。例えば、根の深さが最適量の水の水位よりも３０〜６０ｍｍ程度上に位置することを好む品種としては、オリズルランの他、サンセベリアやホヤなどの多肉系の水耕植物や、アスパラやシェフレラなどの水耕植物があげられる。また、根の深さが最適量の水の水位よりも１０〜３０ｍｍ程度上に位置することを好む品種としては、パキラの他、オーガスタ、モンステラ、幸福の木、コンシネ、ウンベラータなどの水耕植物があげられる。更に、根の深さが最適量の水の水位よりも１０〜３０ｍｍ程度下に位置することを好む品種としては、アレカヤシの他、ヒポエステスなどの水耕植物があげられる。また、前述した根の深さと最適量の水の水位との関係は、鉢本体に植裁した際の水耕植物の安定を考慮したものであり、嵩のある大きな水耕植物であればある程、その安定を考慮して決める必要がある。
【００６７】
また、前記第４の実施の形態では、鉢本体４０の内部を第１区画壁４１によって左右に２つの内部空間４０３，４０４に区画したが、図１０の（ａ）及び（ｂ）に示すように、鉢本体６０の内部が２つの第１区画壁６４，６４によって平面視で３つの内部空間６０１，６０２，６０３に区画されていてもよい。この場合には、パキラ２５の他、小さい植物５３や、この小さい植物が成長した植物５３１など根の深さに大きな差がある複数種類の水耕植物を第１区画壁６４，６４により３つに区画された内部空間６０１〜６０３をそれぞれ個々に上下に水密状に区画する第２区画壁６１，６２，６３が設けられる。なお、寄せ植えはどのような水耕植物であってもよく、根の深さに大きな差がある複数種類の水耕植物に応じて３つ以上の第１区画壁によって平面視で４つ以上の内部空間に区画されていてもよいのはいうまでもない。
【００６８】
また、前記各実施の形態では、土壌植物育成用鉢などの既存の鉢を用い、その鉢本体１０，２０，３０の内周面に設けた区画壁１２又は第１及び第２区画壁４１〜４３によって当該鉢本体１０，２０，３０の内部を上下に水密状に区画することで、水耕植物としてのオリズルラン１５、パキラ２５又はアレカヤシ３５の根の深さＲ１に適した水位３６１となる最適量の水１６，２６，３６が貯留されるようにしたが、この最適量の水は、あくまでも経験値に基づく一例であり、水耕植物の状況又は大きさなどによって当該水耕植物の根の深さに適した水位となる最適量の水が貯留されるように区画壁による区画位置が決められる。
【００６９】
また、前記各実施の形態では、ハイドロカルチャー専用鉢１，２，３，４として、底部１０１，２０１，３０１，４０１に水１６，２６，３６の給排可能な給排孔１０２，２０２，３０２，４０２を有する土壌植物育成用鉢を用いたが、底部からの水の給排不能な観賞用鉢つまり底部に給排孔を有していない陶磁器などの観賞用鉢が用いられていてもよいのはもちろんである。また、ガラス製のコップなどの観賞用鉢では、側面を防水する必要がないため、硬化後に半透明となる塗膜防水材を用い、その塗膜防水材が側面に付かないように区画壁の真ん中からゆっくりと流し込んで当該区画壁を略均一の厚さ（例えば１ｍｍ〜５ｍｍ程度）にコーティングすればよい。このとき、ガラス製のコップなどの観賞用鉢では、内部が透過しているため、根腐れ防止剤に使われるイオン交換石を植物性の染料で着色した硬質多孔性のカラーサンドなどを用いてもよい。
【００７０】
そして、内部が透過しているガラス製の観賞用鉢では、ハイドロカルチャー専用鉢をガラス製観賞鉢の内部に設け、周りを根腐れ防止剤に使われるイオン交換石を植物性の染料で着色した硬質多孔性のカラーサンドなどを用いる事で、インテリア性に優れたカラーサンド鉢となり、植え替えの時はカラーサンドを崩さずに植え替えができ、カラーサンドのデザイン部の藻の発生を防ぐこともできる。また、底部に水の給排可能なハイドロカルチャーとして使用できない既存鉢であっても、内部に前記水耕植物専用鉢を設けインテリア性に優れた既存の鉢を、ハイドロカルチャー鉢カバーとして使用できる。
【００７１】
更に、前記各実施の形態では、ハイドロカルチャー専用鉢１，２，３，４，５，６の内部にハイドロ培土１４を充填したが、ハイドロカルチャー専用鉢の内部に、ハイドロ培土に水耕植物を植裁したポットが収容されるようにしてもよい。このとき、ポットの底部に水の給排可能な給排孔が設けられている場合には、水耕植物の根の深さに適した水位となる最適量の水が貯留されるように鉢本体の内部を上下に水密状に区画する区画壁が設けられる。一方、ポットの底部に水の給排可能な給排孔が設けられていない場合には、水耕植物の見栄えが良好となる位置やポットが鉢本体の内部に隠れる位置に区画壁が設けられていればよい。
【符号の説明】
【００７２】
１      ハイドロカルチャー専用鉢
１０    鉢本体
１２    区画壁
１３    コーキング材（防水材）
２      ハイドロカルチャー専用鉢
２０    鉢本体
３      ハイドロカルチャー専用鉢
３０    鉢本体
４      ハイドロカルチャー専用鉢
４０    鉢本体
５      ハイドロカルチャー専用鉢
５０    鉢本体
５１    区画壁
５２    区画壁
６      ハイドロカルチャー専用鉢
６０    鉢本体
６４    区画壁
【図１】
2011118698.tif 000003
【図２】
2011118698.tif 000004
【図３】
2011118698.tif 000005
【図４】
2011118698.tif 000006
【図５】
2011118698.tif 000007
【図６】
2011118698.tif 000008
【図７】
2011118698.tif 000009
【図８】
2011118698.tif 000010
【図９】
2011118698.tif 000011
【図１０】
2011118698.tif 000012
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
筒体状の鉢本体の内部に水を貯留可能とするように当該鉢本体の内周面を水密状に上下に区画する区画壁を備え、前記区画壁は、前記鉢本体の内周面に対し上下方向に移動可能に設けられていることを特徴とするハイドロカルチャー専用鉢。
【請求項２】
筒体を内部に収容可能な筒体状の鉢本体と、この鉢本体の内部に水を貯留可能とするように当該鉢本体の内周面を水密状に上下に区画する区画壁とを備え、前記区画壁は、前記鉢本体の内周面に対し上下方向に移動可能に設けられていることを特徴とするハイドロカルチャー専用鉢。
【請求項３】
前記区画壁は、伸縮性を有し、前記鉢本体の内周面に対し接地圧をかけて設けられている請求項１又は請求項２に記載のハイドロカルチャー専用鉢。
【請求項４】
前記鉢本体及び前記区画壁は、防水材によってコーティングされている請求項１〜請求項３のいずれか１つに記載のハイドロカルチャー専用鉢。
【請求項５】
前記鉢本体としては、土壌植物専用鉢が適用されている請求項１〜請求項４のいずれか１つに記載のハイドロカルチャー専用鉢。
【請求項６】
前記区画壁は、前記鉢本体から除去可能な材質によって形成され、その鉢本体から除去されてから当該鉢本体に再構築可能とされている請求項１〜請求項５のいずれか１つに記載のハイドロカルチャー専用鉢。
【手続補正２】
【補正対象書類名】明細書
【補正対象項目名】０００８
【補正方法】変更
【補正の内容】
【０００８】
前記目的を達成するため、本発明が講じた解決手段は、ハイドロカルチャー専用鉢として、筒体状の鉢本体の内部に水を貯留可能とするように当該鉢本体の内周面を水密状に上下に区画する区画壁を備え、前記区画壁は、前記鉢本体の内周面に対し上下方向に移動可能に設けられていることを特徴とする。
【手続補正３】
【補正対象書類名】明細書
【補正対象項目名】００１０
【補正方法】変更
【補正の内容】
【００１０】
また、前記目的を達成するため、本発明が講じたその他の解決手段は、ハイドロカルチャー専用鉢として、筒体を内部に収容可能な筒体状の鉢本体と、この鉢本体の内部に水を貯留可能とするように当該鉢本体の内周面を水密状に上下に区画する区画壁とを備え、前記区画壁は、前記鉢本体の内周面に対し上下方向に移動可能に設けられていることを特徴とする。
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
筒体状の鉢本体の内部に水を貯留可能とするように当該鉢本体の内周面を水密状に上下に区画する区画壁を備え、前記区画壁は、伸縮性を有し、前記鉢本体の内周面に対し接地圧をかけて設けられているとともに、前記鉢本体の内周面に対し上下方向に移動可能に設けられていることを特徴とするハイドロカルチャー専用鉢。
【請求項２】
筒体を内部に収容可能な筒体状の鉢本体と、この鉢本体の内部に水を貯留可能とするように当該鉢本体の内周面を水密状に上下に区画する区画壁とを備え、前記区画壁は、伸縮性を有し、前記鉢本体の内周面に対し接地圧をかけて設けられているとともに、前記鉢本体の内周面に対し上下方向に移動可能に設けられていることを特徴とするハイドロカルチャー専用鉢。
【請求項３】
前記鉢本体及び前記区画壁は、防水材によってコーティングされている請求項１又は請求項２に記載のハイドロカルチャー専用鉢。
【請求項４】
前記鉢本体としては、土壌植物専用鉢が適用されている請求項１〜請求項３のいずれか１つに記載のハイドロカルチャー専用鉢。
【請求項５】
前記区画壁は、前記鉢本体から除去可能な材質によって形成され、その鉢本体から除去されてから当該鉢本体に再構築可能とされている請求項１〜請求項４のいずれか１つに記載のハイドロカルチャー専用鉢。
【手続補正２】
【補正対象書類名】明細書
【補正対象項目名】０００８
【補正方法】変更
【補正の内容】
【０００８】
前記目的を達成するため、本発明が講じた解決手段は、ハイドロカルチャー専用鉢として、筒体状の鉢本体の内部に水を貯留可能とするように当該鉢本体の内周面を水密状に上下に区画する区画壁を備え、前記区画壁は、伸縮性を有し、前記鉢本体の内周面に対し接地圧をかけて設けられているとともに、前記鉢本体の内周面に対し上下方向に移動可能に設けられていることを特徴とする。
【手続補正３】
【補正対象書類名】明細書
【補正対象項目名】０００９
【補正方法】変更
【補正の内容】
【０００９】
この特定事項により、筒体状の鉢本体の内周面に対し接地圧をかけて底板として構築された区画壁が上下に移動するので、植樹する植物の大きさにあわせて区画壁を上下に移動させれば、植物を植樹し植物が水を吸うことで約一週間〜二週間で完全に無くなる最適の水量を貯留することが可能となる。たとえば、高さ５０センチのハイドロカルチャー専用鉢で高さ１０センチの苗を植樹する場合、鉢本体の内周面に対し接地圧をかけた状態で区画壁を上方向に移動させて、最適な水量を貯留させることが可能となる。さらに、一度植物を植樹した鉢に違う大きさの植物を植え替えるときは、植樹する植物の大きさにあわせて、鉢本体の内周面に対し接地圧をかけた状態で区画壁を上か下に移動させれば、植樹した植物に最適な水量を貯留することが可能となる。
しかも、鉢本体の内周面よりも少し大きめの区画壁を用意し、鉢本体の内周面に対し接地圧をかけた状態で区画壁を設ければ、鉢本体の内周面に対し接地圧をかけた状態で区画壁を上下に簡単に移動させることができ、鉢本体の内部に最適な水量を貯留することができる。
【手続補正４】
【補正対象書類名】明細書
【補正対象項目名】００１０
【補正方法】変更
【補正の内容】
【００１０】
また、前記目的を達成するため、本発明が講じたその他の解決手段は、ハイドロカルチャー専用鉢として、筒体を内部に収容可能な筒体状の鉢本体と、この鉢本体の内部に水を貯留可能とするように当該鉢本体の内周面を水密状に上下に区画する区画壁とを備え、前記区画壁は、伸縮性を有し、前記鉢本体の内周面に対し接地圧をかけて設けられているとともに、前記鉢本体の内周面に対し上下方向に移動可能に設けられていることを特徴とする。
【手続補正５】
【補正対象書類名】明細書
【補正対象項目名】００１１
【補正方法】変更
【補正の内容】
【００１１】
この特定事項により、鉢本体の内部に収容される筒体に植樹された植物の大きさにあわせて区画壁を上下に移動させて設ければ、鉢本体の内部の最適な位置に筒体内の植物が収容され、筒体に植樹した植物の根の深さに適した水位となる最適量の水を鉢本体の内部に貯留することが可能となる。
しかも、鉢本体の内周面よりも少し大きめの区画壁を用意し、鉢本体の内周面に対し接地圧をかけた状態で区画壁を設ければ、鉢本体の内周面に対し接地圧をかけた状態で区画壁を上下に簡単に移動させることができ、鉢本体の内部に最適な水量を貯留することができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【国際調査報告】
2011118698.tif 000013
2011118698.tif 000014
2011118698.tif 000015
2011118698.tif 000016